(57)【要約】【課題】  発光ダイオードの使用に合わされかつ方向づけられる光が幅広く出るのを可能にする反射電灯を提供する。【解決手段】  床、天井又は壁への組込み反射電灯特に階段反射電灯のような反射電灯（１０）は、反射鏡（１５）を持ち、この反射鏡は、楕円部分（１７）又は放射線部分（２３）にわたって延び、光出口面（ＫＡ−ＫＦ）の近くで弱く湾曲し、発光ダイオード（ＬＥＤ）（１８）の近くで強く湾曲している。ＬＥＤ（１８）は遮蔽体（Ａ）の後にある。ＬＥＤ（１８）、反射鏡縦方向に延びかつ遮蔽体（Ａ）の自由端に設けられる直線縁（ＫＡ）、及び反射鏡縦方向に延びかつ反射面（１６）の自由端にある直線縁（ＫＦ）が、共通な面にある、特にＬＥＤ（１８）の放射角（Ｗ）が、光出口面（ＫＡ−ＫＦ）の方へ放射する有効反射面の大きさを決定する。【選択図】  図２
2005108852.tif 000002
【特許請求の範囲】
【請求項１】
床、天井又は壁への組込み反射電灯のような反射電灯（１０）であって、反射鏡（１５）を持ち、この反射鏡の反射面（１６）が円錐切断線（１７）に沿って延び、反射鏡に少なくとも１つの焦点（Ｆ１）があり、反射電灯（１０）の光出口面（ＫＡ−ＫＦ；ＫＡ−ＫＵ）を通って外方への直接の光放射を阻止する遮蔽体（Ａ）の後において焦点（Ｆ１）に、少なくとも１つの発光ダイオードＬＥＤ（１８）が設けられているものにおいて、
ａ）反射面（１６）が、頂点外で楕円に沿って楕円部分（１７）にわたって、ＬＥＤ（２８）が設けられている楕円の１つの焦点（Ｆ１）に隣接して延び、
ｂ）楕円部分（１７）の弱く湾曲する範囲が光出口面（ＫＡ−ＫＦ；ＫＡ−ＫＵ）に隣接し、楕円部分（１７）の強く湾曲する範囲がＬＥＤ（１８）に隣接し、
ｃ）反射面（１６）の母線が、反射鏡縦方向に延びる直線であり、
ｄ）ＬＥＤ（１８）、反射鏡縦方向に延びて遮蔽体（Ａ）の自由端にある直線縁（ＫＡ）、及び反射鏡縦方向に延びて反射面（１６）の外側自由端にある直線縁（ＫＦ）、又は反射鏡縦方向に延びて反射面（１６）の外側自由端（ＫＦ）にあるか又はこれに隣接している付加遮蔽体（２１）の直線縁（ＫＵ）が、共通な面（Ｆ１−ＫＡ−ＫＦ又はＦ１−ＫＡ−ＫＵ）に設けられ、
ｅ）遮蔽体（Ａ）の自由端にある直線縁（ＫＡ）と反射面（１６）の外側自由端にある直線縁（ＫＦ）との間に存在する共通な面（Ｆ１−ＫＡ−ＫＦ）の範囲（ＫＡ−ＫＦ）、又は遮蔽体（Ａ）の自由端にある直線縁（ＫＡ）と付加遮蔽体（２１）の自由端にある直線縁（ＫＵ）との間に存在する共通な面（Ｆ１−ＫＡ−ＫＵ）の範囲（ＫＡ−ＫＵ）が、光出口面（ＫＡ−ＫＦ又はＫＡ−ＫＵ）を形成し、
ｆ）反射面（１６）の方へ開く放射角（Ｗ）に関するＬＥＤ（１８）の向き、及び／又は光出口面（ＫＡ−ＫＦ；ＫＡ−ＫＵ）の方へ傾斜する前部辺（ＳＶ）及び光出口面（ＫＡ−ＫＦ；ＫＡ−ＫＵ）から離れる方へ向く後部辺（ＳＨ）を持つ放射角（Ｗ）の大きさが、光出口面（ＫＡ−ＫＦ；ＫＡ−ＫＵ）の方へ放射する有効反射面の位置及び／又は大きさを決定する
ことを特徴とする反射電灯。
【請求項２】
床、天井又は壁への組込み反射電灯のような反射電灯（１０）であって、反射鏡（１５）を持ち、この反射鏡の反射面（１６）が放物線（２３）に沿って延び、反射電灯（１０）の光出口面（ＫＡ−ＫＦ；ＫＡ−ＫＵ）を通って外方への直接の光放射を阻止する遮蔽体（Ａ）の後において放物線（２３）の焦点（Ｆ１）又はその近くに、少なくとも１つの発光ダイオードＬＥＤ（１８）が設けられているものにおいて、
ａ）反射面（１６）が、頂点外で放物線に沿って放物線部分（２３）にわたって、ＬＥＤ（２８）が設けられている放物線の焦点（Ｆ）に隣接して延び、
ｂ）放物線部分（２３）の弱く湾曲する範囲が光出口面（ＫＡ−ＫＦ；ＫＡ−ＫＵ）に隣接し、放物線部分（２３）の強く湾曲する範囲がＬＥＤ（１８）に隣接し、
ｃ）反射面（１６）の母線が、反射鏡縦方向に延びる直線であり、
ｄ）ＬＥＤ（１８）、反射鏡縦方向に延びて遮蔽体（Ａ）の自由端にある直線縁（ＫＡ）、及び反射鏡縦方向に延びて反射面（１６）の外側自由端にある直線縁（ＫＦ）、又は反射面（１６）の外側自由端にあるか又はこれに隣接している付加遮蔽体（２１）の直線縁（ＫＵ）が、共通な面（Ｆ１−ＫＡ−ＫＦ又はＦ１−ＫＡ−ＫＵ）に設けられ、
ｅ）遮蔽体（Ａ）の自由端にある直線縁（ＫＡ）と反射面（１６）の外側自由端にある直線縁（ＫＦ）との間に存在する共通な面（Ｆ１−ＫＡ−ＫＦ）の範囲（ＫＡ−ＫＦ）、又は遮蔽体（Ａ）の自由端にある直線縁（ＫＡ）と付加遮蔽体（２１）の自由端にある直線縁（ＫＵ）との間に存在する共通な面（Ｆ１−ＫＡ−ＫＵ）の範囲（ＫＡ−ＫＵ）が、光出口面（ＫＡ−ＫＦ又はＫＡ−ＫＵ）を形成し、
ｆ）反射面（１６）の方へ開く放射角（Ｗ）に関するＬＥＤ（１８）の向き、及び／又は光出口面（ＫＡ−ＫＦ；ＫＡ−ＫＵ）の方へ傾斜する前部辺（ＳＶ）及び光出口面（ＫＡ−ＫＦ；ＫＡ−ＫＵ）から離れる方へ向く後部辺（ＳＨ）を持つ放射角（Ｗ）の大きさが、光出口面（ＫＡ−ＫＦ；ＫＡ−ＫＵ）の方へ放射する有効反射面の位置及び／又は大きさを決定する
ことを特徴とする反射電灯。
【請求項３】
光出口面（ＫＡ−ＫＦ；ＫＡ−ＫＵ）の方へ傾斜するＬＥＤ（１８）の放射角（Ｗ）の前部辺（ＳＶ）と、光出口面（ＫＡ−ＫＦ；ＫＡ−ＫＵ）から離れる方へ向く後部辺（ＳＨ）が、少なくとも実質的に、反射面（１６）の全幅（ＫＦ−ＫＩ）及び楕円部分（１７）又は放射線部分（２３）に沿う有効反射面を囲んでいることを特徴とする、請求項１又は２に記載の反射電灯。
【請求項４】
同時に有効反射面でもある反射面（１６）の最大全幅（ＫＦ−ＫＩ）が、約９０°の放射角（Ｗ）を持つＬＥＤ（１８）に一致していることを特徴とする、請求項３に記載の反射電灯。
【請求項５】
光出口面（ＫＡ−ＫＦ；ＫＡ−ＫＵ）の方へ傾斜するＬＥＤ（１８）の放射角（Ｗ）の前部辺（ＳＶ）が、共通な面（Ｆ１，ＫＡ，ＫＦ；Ｆ１，ＫＡ，ＫＵ；Ｆ，ＫＡ，ＫＦ；Ｆ，ＫＡ，ＫＵ）に設けられていることを特徴とする、請求項１〜４の１つに記載の反射電灯。
【請求項６】
遮蔽体（Ａ）が平面に構成されていることを特徴とする、請求項１〜５の１つに記載の反射電灯。
【請求項７】
反射面（１６）の外側自由端にあるか又はこれに隣接している付加遮蔽体（２１）が平面に構成されていることを特徴とする、請求項１〜４の１つに記載の反射電灯。
【請求項８】
共通な面（Ｆ１，ＫＡ，ＫＦ；Ｆ１，ＫＡ，ＫＦ；Ｆ，ＫＡ，ＫＵ）に対して直角に延びる電灯ハウジング（１１）の断面が長方形であり、電灯ハウジング（１１）が、光出口面（ＫＡ−ＫＦ；ＫＡ−ＫＵ）の前にあってこの光出口面に対して鋭角に傾斜する平らな光出口開口（２０）を形成していることを特徴とする、請求項１〜７の１つに記載の反射電灯。
【請求項９】
光出口開口（２０）が、反射鏡縦方向に延びる一方の側を、反射面（１６）の外側自由端にある直線縁（ＫＦ）により形成されるか、又は反射面（１６）の外側自由端にあるか又はこれに隣接している付加遮蔽体（２１）の直線縁（ＫＵ）により形成され、光出口開口（２０）の他方の側が、反射鏡縦方向に延びかつ遮蔽体（Ａ）の自由端にある直線縁（ＫＡ）から放物線間隔をおいて設けられている遮蔽体（Ａ）の直線縁（１９）により形成されていることを特徴とする、請求項８に記載の反射電灯。
【請求項１０】
複数のＬＥＤ（１８）が、反射鏡縦方向に延びる少なくとも１つの列にそれぞれ前後して設けられていることを特徴とする、請求項１〜９の１つに記載の反射電灯。
【請求項１１】
前後に設けられるＬＥＤの複数の列を特徴とする、請求項２〜１０の１つに記載の反射電灯。
【請求項１２】
前後に設けられるＬＥＤの各列が、個々に又は少なくとも１つの列と一緒に付勢又は消勢可能であることを特徴とする、請求項１１に記載の反射電灯。
【請求項１３】
光出口面（ＫＡ−ＫＦ；ＫＡ−ＫＵ）に設けられるか又は光出口面（ＫＡ−ＫＦ；ＫＡ−ＫＵ）の前にある散乱板（２２）を特徴とする、請求項１〜１２の１つに記載の反射電灯。
【請求項１４】
散乱板（２２）が光出口開口（２０）に設けられていることを特徴とする、請求項１３に記載の反射電灯。
【発明の詳細な説明】
【技術分野】
【０００１】  本発明は、互いに独立した請求項１及び２のそれぞれに記載されている床、天井又は壁への組込み反射電灯特に階段反射電灯に関する。
【背景技術】
【０００２】  このような反射電灯はドイツ連邦共和国特許第１０１１６７４２号明細書に記載されている。ドイツ連邦共和国特許第１０１１６７４２号明細書の図面に示されている公知の反射電灯は、光を平行に向けて放射する反射面を持つ回転対称な放物線反射鏡を持っている。光源として少なくとも１つの発光ダイオード（ＬＥＤ）が用いられ、ほぼ腕状に突出する遮蔽体と反射面との間に、従って見る者に対して遮蔽して設けられている。ＬＥＤが放物面反射鏡の焦点にある場合、反射される光線は放物面中心軸に対して平行に延びている。ＬＥＤが焦点面の内側に焦点から離れて設けられている場合、互いに平行に反射される光線は放物面中心軸に対し角をなして延びている。焦点面に複数のＬＥＤが設けられている場合、ＬＥＤの交互の付勢により、実際に異なる向き又は異なる推移の移動経路が焦点面内に得られる。従ってこの手段により、光源の機械的移動なしに光案内を行うことができる。
【発明の開示】
【発明が解決しようとする課題】
【０００３】  ドイツ連邦共和国特許第１０１１６７４２号明細書に記載されている反射電灯から出発して本発明の基礎に成っている課題は、特にＬＥＤの使用に合わされ、例えば壁照明に用いられる電灯又は階段照明に用いられる電灯において望まれるように方向づけられた光の幅広い放射を可能にする反射電灯を提供することである。
【課題を解決するための手段】
【０００４】  請求項１に関してこの課題は、その特徴ａ）〜ｆ）のよって解決される。【０００５】  請求項１の特徴ａ）によれば、反射面が、楕円に沿って楕円部分にわたって、楕円の頂点即ちその主頂点及び二次焦点が楕円に含まれることなしに、延びている。このように選ばれる楕円部分は楕円の一方の焦点に隣接して延び、他方の焦点は反射電灯外にある。楕円部分にすぐ隣接している焦点には、ＬＥＤのエポキシ体の照明表面がある。この照明表面は、例えば平らに又はほぼ平らに又はレンズ状に凸に構成することができる。【０００６】  反射鏡の全体として平らな構造は、請求項１の特徴ｂ）により、楕円部分の弱く湾曲する範囲が光出口面であり、楕円部分の強く湾曲する範囲がＬＥＤに隣接して設けられていることのよって、得られる。【０００７】  反射面（１６）の母線が、反射鏡縦方向に延びる直線であるという、特徴ｃ）に従って、反射鏡は、所望の幅広い光出口を可能にするように長く延びた扁平殻状形状をとる。【０００８】  請求項１の特徴ｄ）に従って、ＬＥＤ即ちその照明面、反射鏡縦方向に延びて遮蔽体の自由端にある直線縁、及び反射鏡縦方向に延びて反射面の外側自由端にある直線縁が、共通な面に設けられている。この特徴により、見る者はＬＥＤを外から認めることができず、従ってＬＥＤによる直接の照明が防止される。請求項１の特徴ｄ）によれば、必要な場合反射面の外側自由端にある直線縁を、反射鏡縦方向に延びて反射面の外側自由端にあるか又はこれに隣接している付加遮蔽体の直線縁に代えることができる。【０００９】  請求項１の特徴ｅ）は反射電灯の光出口面を次のように規定している。【００１０】  即ち遮蔽体の自由端にある直線縁と反射面の外側自由端にある直線縁との間に存在する共通な面の範囲、又は遮蔽体の自由端にある直線縁と付加遮蔽体の自由端にある直線縁との間に存在する共通な面の範囲が、光出口面を形成している。【００１１】  反射面特に光出口面の方へ放射する有効反射面とＬＥＤのパラメータとの関係を規定する請求項１の特徴ｆ）は非常に重要である。この場合立体的に存在する反射面と光出口面へ放射しかつ場合によっては立体的に存在する反射面の一部にしかならない有効放射面とを原理的に区別せねばならない。しかし立体的又は構造的に存在する反射面と光技術的に有効な反射面は、同一でなくてもよい。【００１２】  全体として請求項１の特徴ｆ）は、ＬＥＤのパラメータと有効反射面との関係を次の通りに記載している。【００１３】  即ち反射面の方へ開く放射角に関するＬＥＤの向き（傾斜）、及び／又は光出口面の方へ傾斜する前部辺及び光出口面から離れる方へ向く後部辺を持つ放射角の大きさが、光出口面の方へ放射する有効反射面の位置及び／又は大きさを決定する。反射面に沿うＬＥＤの向き（傾斜）により、立体的に存在する反射面上における有効反射面の位置を変化し、従って調節することもできる。特別な使用事例では、ＬＥＤの向きにより有効反射面の大きさにも影響を及ぼして、例えばＬＥＤから出る光円錐の一部のみが立体的に存在する反射面へ当たり、従って有効面が減少するように、ＬＥＤが一方向又は他方向へ傾斜される。【００１４】  他方有効反射面の大きさを放射角の大き��に直接関係させることができる。放射角に関して現在光技術的な定義が存在しないので、これに検してＬＥＤのエポキシ体の照明表面から光が放射される光円錐の全角が、放射角とみなされる。【００１５】  楕円反射面を持つ請求項１の反射電灯では、反射面により放射される光が、反射電灯の外で楕円の第２の焦点において集束され、それから照明すべき面の方へ発散されるが、請求項２による反射電灯では、放物線状反射鏡が使用される。その他の点では、請求項２の特徴ａ）〜ｆ）は、請求項１の特徴ａ）〜ｆ）とは相違していないので、この代わりに、請求項１に関連してこれに関する説明のみが参照される。【００１６】  反射電灯の別の構成において、請求項１及び請求項２によれば、光出口面の方へ傾斜するＬＥＤの放射角の前部辺と、光出口面から離れる方へ向く後部辺が、少なくとも実質的に、反射面の全幅及び楕円部分又は放射線部分に沿う有効反射面を囲んでいる。【００１７】  これは、ＬＥＤの放射角の大きさにより規定される有効反射面が、反射鏡の反射鏡縦方向に対して直角に測った反射鏡の全幅に少なくともほぼ等しいことを意味する。こうして反射鏡を、特定の放射角を持つＬＥＤへ構造的に最適に合わせることができる。【００１８】  本発明を実際に実現する際、同時に有効反射面でもある反射面の最大全幅が、約９０°の放射角を持つＬＥＤに一致していることがわかった。これは、このような電灯では、９０°より小さいか又は大きい放射角を持つすべてのＬＥＤを同じように使用できることを意味する。９０°より大きい放射角を持つＬＥＤにおいてのみ、このような場合、所望の優先方向への偏向をいずれにせよ全く行えないか又は行うのが困難な光成分がだめになる。他方このような反射電灯では、９０°より小さい放射角を持つＬＥＤは、いずれにせよ光円錐が反射面により受入れられるように、傾斜させるか又は調節することができる。【００１９】  電灯効率及び反射鏡の全幅に関する最適化は、本発明の別の特徴によれば、光出口面の方へ傾斜するＬＥＤの放射角の前部辺が、共通な面に設けられていることによって、行うことができる。これは、前部辺が遮蔽体の自由端に接するだけであることを意味する。【００２０】  本発明による重要な構成は、複数のＬＥＤが、反射鏡縦方向に延びる少なくとも１つの列にそれぞれ前後して設けられていることである。この場合請求項１による楕円反射鏡を持つ反射電灯では、一列のＬＥＤのみが存在することを前提とする。【００２１】  これに反し、請求項２により放物線反射鏡を含む電灯に関して、特定の使用事例において、並列に配置される複数列のＬＥＤを設けるのが有意義である。複数列のＬＥＤが同時に付勢される場合、各列は平行な光線を出すが、焦点面外に設けられるＬＥＤ列の平行光線は、放物線中心軸を通って反射鏡の縦方向に延びる面に対して傾斜している。これに関し前後に設けられるＬＥＤの各列が、個々に又は少なくとも１つの列と一緒に付勢又は消勢可能であることによって、特別な効果が得られる。ＬＥＤの個々の列に異なる光の色を割当てることも可能である。ＬＥＤの光の色が異なる場合、隣接する光円錐を重ねると、色が混合される。【００２２】  本発明の付加的な特徴は残りの従属請��項からわかる。【００２３】  図面には本発明による好ましい実施例が示されている。図面において互いに類似する部材及び素子は、構成が相違していても同じ符号を付けられている。
【発明を実施するための最良の形態】
【００２４】  図において、階段電灯は符号１０を付けられている。【００２５】  図１及び２による階段電灯１０は、断面が長方形の電灯ハウジング１１を持ち、この電灯ハウジングは、例えば壁又は塀１３の凹み１２に収容されている。階段電灯１０は交通面例えば踏み段１４の照明に用いられる。【００２６】  電灯ハウジング１１内には反射鏡１５が設けられ、楕円部分１７に沿って延びる反射面１６を持っている。【００２７】  楕円部分１７には２つの焦点Ｆ１及びＦ２が付属している。焦点Ｆ１は電灯１０内にあり、焦点Ｆ２は電灯１０外にある。【００２８】  図１からは詳細にはわからないＬＥＤ１８のエポキシ体の光を発する面は、焦点Ｆ１にある。【００２９】  平らな板状で光を透過しかつＬＥＤ１８の方へ艶消し黒の遮蔽体Ａは、その下部直線縁１９から約４５°の角をなして上方へ光出口面ＫＡ−ＫＦまで延びている。反射鏡縦方向は、図１〜８の図の面に対して直角に延びる直線と考えねばならない。即ち遮蔽体Ａの下部直線縁１９は、反射鏡縦方向に、遮蔽体Ａの自由端にある直線縁ＫＡと同じように延びている。【００３０】  反射鏡縦方向に延びて反射面１６の外側自由端にある反射鏡１５の直線縁はＫＦで示されている。これと同様に反射鏡縦方向に延びて反射面１６の内側端部にある反射鏡１５の直線縁は、符号ＫＩを持っている。【００３１】  図１及び２より、反射鏡縦方向に延びて遮蔽体Ａの自由端にある直線縁ＫＡにある反射面１６の外側自由端にある直線縁ＫＦと、ＬＥＤ１８即ちエポキシ体の照明面が、反射鏡縦方向に延び従って図１及び２の図の面に対して直角に延びる共通な面ＫＦ−ＫＡ−Ｆ１にあることは、明らかであり、これは残りの図３〜８に対しても同様に当てはまる。【００３２】  反射面１６は反射鏡縦方向に延びている。なぜならば、反射面１６は、反射鏡縦方向に設けられる直線により描かれ、従って扁平でほぼ縦殻状の形状を持っているからである。なお個々の図の面に対して直角に延びる遮蔽体Ａも，反射鏡縦方向に延びている。【００３３】  図１及び２からはわからないが、反射鏡縦方向に多数のＬＥＤ１８が前後して、焦点Ｆ１を通る直線上に設けられている。前後に設けられるＬＥＤは、それぞれ同じ光の色又は異なる光の色を持つことができる。光の色が異なる場合、隣接する光円錐の側方重なりにより、色の混合が行われる。【００３４】  光出口面は、縁ＫＡとＫＦとの間にある共通な面Ｆ１−ＫＡ−ＫＦの一部として延び、従ってＫＡ−ＫＦで示されている。【００３５】  ＬＥＤ１８の照明面は、前部辺ＳＶと後部辺ＳＨとにより規定される放射角Ｗで光を放射する。図１による実施例ではこの放射角Ｗは約９０°である。【００３６】  図１及び２からわかるように、放射角Ｗの前部辺ＳＶの延長線は、遮蔽体Ａの直線縁ＫＡ及び反射面１６の外側自由縁ＫＦに接している。これに反し放射角Ｗの後部辺ＳＨは、反射面１６の内側縁Ｋ１に接している。従って縁ＫＦと縁ＫＩとの間に延びる反射面１６は、ＬＥＤ１８から放射される全部の光を全面で受け、この光を反射して、光出口面ＫＡ−ＫＦ及び光出口開口２０を通り、第２の焦点Ｆ２における集束を介して、外方へ踏み段１４へ向けて、光線ＬＥとして放射する。従って立体的な反射鏡１５の全幅ＫＦ−ＫＩは、この場合光技術的に有効な反射面１６に一致している。光出口開口２０は、遮蔽体Ａの下部直線縁１９と反射鏡１５の直線縁ＫＦとの間に延びている。【００３７】  図５及び６による反射電灯１０は、図１及び２による反射電灯１０とは、大体において次の点でのみ相違している。即ち反射鏡の全幅ＫＦ−ＫＩは図１及び２による電灯より小さい。更に光出口開口２０は、付加遮蔽体２１の直線縁ＫＵにより上を限定され、この付加遮蔽体２１は平らに構成され、反射面１６の外側自由端にある縁ＫＦに隣接して設けられている。付加遮蔽体２１は、ＬＥＤ１８による直接の遮光の防止に用いられる。付加遮蔽体２１は反射鏡縦方向に延びている。図５及び６による共通な面は符号Ｆ１−ＫＡ−ＫＵを持っている。光出口面は符号ＫＡ−ＫＵを持っている。【００３８】  図５及び６からわかるように、前部辺ＳＶと後部辺ＳＨとの間の放射角Ｗは、同様に約９０°である。前部辺ＳＶは反射面１６の外側自由縁ＫＦに接しているが、遮蔽体Ａの縁ＫＡより上にある。これに反し放射角Ｗの後部辺ＳＨは反射面１６には接していない。このためＬＥＤ１８から出る光の一部は利用されないままである。これは、図５及び６による実施例において、例えば一層小さい放射角Ｗを持つＬＥＤの選択により防止され、その場合この放射角Ｗの後部辺ＳＨは、反射面１６の内側縁ＫＩに接するであろう。【００３９】  図３及び４には放物線状反射鏡１５を持つ反射電灯１０が示され、その放物線部分２３が光線ＬＰを互いに平行に反射する。図３及び４による電灯は、光出口２０に設けられて放射される光を均一化するのに役立つ散乱レンズ板２２を持っている。散乱レンズ板２２お光線に対して逆向きの表面は有利に構造化され、例えば微小鉢状の凹所又は彫刻レンズ状又はフレネルレンズ状に形成される表面により構造化されている。【００４０】  図３及び４に示す例に関して、その他の点では、図１及び２に関する説明が当てはまる。【００４１】  図７及び８による実施例は、大体において図２及び３による実施例に一致しているが反射面１６の比較的小さい幅ＫＦ−ＫＩのため、前述した図５及び６と同様な付加遮蔽体２１を持ち、図７及び８に関しても図５及び６が参照される。【００４２】  図７及び８による実施例では、ＬＥＤ１８の放射角Ｗは反射面１６の幅ＫＦ−ＫＩに一致しているので、この場合ＬＥＤにより発生される光は全部利用される。図７及び８による放射角Ｗは約６５°で、他の実施例におけるより小さい。【００４３】  なお補足すべきことは、反射面自体が有利に高度の光沢を持っていることである。反射面は更に構造化され、例えば切り子面を付けられることができる。
【図面の簡単な説明】
【００４４】
【図１】  楕円反射面を持ち階段電灯として構成される反射電灯の概略断面図を示す。
【図２】  図１の拡大図を示す。
【図３】  放物線状反射面を持つ階段電灯を図１に従って示す。
【図４】  図３の拡大図を示す。
【図５】  図１による反射電灯の別の実施例を示す。
【図６】  図５の拡大図を示す。
【図７】  図３による反射電灯の更に別の実施例を示す。
【図８】  図７の拡大図を示す。
【符号の説明】
【００４５】  １０  反射電灯
１５  反射鏡
１６  反射面
１７  楕円部分
１８  発光ダイオード
２１  付加遮蔽体
２３  放物線部分
Ａ    遮蔽体
Ｆ１  焦点
ＳＡ，ＳＶ              辺
ＫＡ，ＫＦ，ＫＵ        直線縁
Ｆ１−ＫＡ−ＫＵ        共通な面
ＫＡ−ＫＦ；ＫＡ−ＫＵ  光出口面
【図１】
2005108852.tif 000003
【図２】
2005108852.tif 000004
【図３】
2005108852.tif 000005
【図４】
2005108852.tif 000006
【図５】
2005108852.tif 000007
【図６】
2005108852.tif 000008
【図７】
2005108852.tif 000009
【図８】
2005108852.tif 000010